(57)【特許請求の範囲】
【請求項１】
相互に対向する一対のパラペットと、前記一対のパラペットのうちの一方に取り付けられる第１丸環と、前記一対のパラペットのうちの他方に取り付けられる第２丸環とが設けられる屋上に設置される太陽光パネル屋上用足場架台であって、
前記第１丸環および前記第２丸環よりも鉛直下方側において前記一対のパラペットを突っ張る足場支柱と、
前記足場支柱に固定される２つの第１クランプ、および前記足場支柱よりも鉛直下方側に位置する１つの第２クランプを有し、前記足場支柱よりも鉛直下方側に突出する第１ブラケットと、
その一端部が、前記第１丸環に固定され、その他端部が、前記第２クランプよりも前記他方側かつ前記第２クランプよりも鉛直上方側において、前記足場支柱または前記第１ブラケットに固定され、前記第２クランプを経由した状態で張設される第１ロープ部材と、
前記足場支柱に固定される２つの第３クランプ、および前記足場支柱よりも鉛直下方側に位置する１つの第４クランプを有し、前記足場支柱よりも鉛直下方側に突出する第２ブラケットと、
その一端部が、前記第４クランプよりも前記一方側かつ前記第４クランプよりも鉛直上方側において、前記足場支柱または前記第２ブラケットに固定され、その他端部が、前記第２丸環に固定され、前記第４クランプを経由した状態で張設される第２ロープ部材とを備える、
太陽光パネル屋上用足場架台。
【発明の詳細な説明】
【技術分野】
【０００１】
本発明は、太陽光パネル屋上用足場架台に関する。
【背景技術】
【０００２】
従来、太陽光パネルを支持するために、屋上に設置される太陽光パネル用架台が知られている。たとえば、屋上の床面にアンカーボルトを取り付けるための穴が開けられ、太陽光パネル用架台は、アンカーボルト等を用いて固定される。しかしながら、屋上の床面に穴を開けると、防水性が低下する等の課題が発生するため好ましくない。また、屋上の床面に穴を開ける工事中の音の問題および振動の問題等によって、当該工事ができない場合がある。
【０００３】
そこで、特許文献１および特許文献２には、屋上の床面に穴を開けずに固定できる架台が開示されている。特許文献１の架台は、支持部材の両端にチルトジャッキが設置され、チルトジャッキを作動させて支持部材を突っ張り棒のようにパラペットの壁面に突っ張らせることによって、固定される。また、特許文献２では、一方のパラペットに取り付けられた取付ボルトと他方のパラペットに取り付けられた取付ボルトとの間にワイヤが張られ、特許文献２の架台は、クランプを介してワイヤに取り付けられることによって、固定される。
【先行技術文献】
【特許文献】
【０００４】
【特許文献１】特開２０１４−１０５５１９号公報
【特許文献２】特開２０１５−５９３６０号公報
【発明の概要】
【発明が解決しようとする課題】
【０００５】
ここで、特許文献１の支持部材をワイヤ等で引っ張ってパラペットに押し付けることができれば、特許文献１の架台をより強固に固定できる。しかしながら、特許文献２のワイヤでは、特許文献１の支持部材をパラペットに向けて引っ張ることができず、特許文献１の架台をより強固に固定できないという課題がある。
【０００６】
この発明は、上記課題に鑑みてなされたものであり、屋上の床面に穴を開けることなく、より強固に固定できる太陽光パネル屋上用足場架台を提供することを目的とする。
【課題を解決するための手段】
【０００７】
上記目的を達成するために、本発明の一態様に係る太陽光パネル屋上用足場架台は、相互に対向する一対のパラペットと、前記一対のパラペットのうちの一方に取り付けられる第１丸環と、前記一対のパラペットのうちの他方に取り付けられる第２丸環とが設けられる屋上に設置される太陽光パネル屋上用足場架台であって、前記第１丸環および前記第２丸環よりも鉛直下方側において前記一対のパラペットを突っ張る足場支柱と、前記足場支柱に固定される２つの第１クランプ、および前記足場支柱よりも鉛直下方側に位置する１つの第２クランプを有し、前記足場支柱よりも鉛直下方側に突出する第１ブラケットと、その一端部が、前記第１丸環に固定され、その他端部が、前記第２クランプよりも前記他方側かつ前記第２クランプよりも鉛直上方側において、前記足場支柱または前記第１ブラケットに固定され、前記第２クランプを経由した状態で張設される第１ロープ部材と、前記足場支柱に固定される２つの第３クランプ、および前記足場支柱よりも鉛直下方側に位置する１つの第４クランプを有し、前記足場支柱よりも鉛直下方側に突出する第２ブラケットと、その一端部が、前記第４クランプよりも前記一方側かつ前記第４クランプよりも鉛直上方側において、前記足場支柱または前記第２ブラケットに固定され、その他端部が、前記第２丸環に固定され、前記第４クランプを経由した状態で張設される第２ロープ部材とを備える。
【発明の効果】
【０００８】
本発明により、屋上の床面に穴を開けることなく、より強固に固定できる太陽光パネル屋上用足場架台が提供される。
【図面の簡単な説明】
【０００９】
【図１】図１は、本発明の実施の形態に係る太陽光パネル屋上用足場架台を示す断面図である。
【図２】図２は、図１の太陽光パネル屋上用足場架台を示す平面図である。
【図３】図３は、図１の太陽光パネル屋上用足場架台の足場支柱、第１ブラケット、および第２ブラケットに加わる荷重を示す図である。
【図４】図４は、他の実施の形態に係る太陽光パネル屋上用足場架台の足場支柱および第１ブラケットに加わる荷重を示す図である。
【図５】図５は、足場支柱および第１ブラケットに加わる荷重の一例を示す図である。
【発明を実施するための形態】
【００１０】
以下、本発明に係る太陽光パネル屋上用足場架台の実施の形態について、図面を用いて詳細に説明する。なお、以下で説明する実施の形態は、いずれも本発明の好ましい一具体例を示すものである。以下の実施の形態で示される数値、構成要素、構成要素の配置位置および接続形態の順序等は、一例であり、本発明を限定する主旨ではない。また、各図は、必ずしも厳密に図示されたものではない。
【００１１】
図１は、本発明の実施の形態に係る太陽光パネル屋上用足場架台２０を示す断面図である。具体的には、図１は、図２のＩ−Ｉ線断面図である。図２は、図１の太陽光パネル屋上用足場架台２０を示す平面図である。なお、図１では、図面が煩雑になることを避けるため、複数の第２支持部材２４ａ〜２４ｃのそれぞれの一部、および複数の丸環４ｌ〜４ｎ等の図示を省略し、第１支持部材２２ａのワイヤロープ８５を破線で示している。また、図１では、太陽光パネル２を、ドットを付して示している。また、図２では、図面が煩雑になることを避けるため、複数の第３支持部材２６ａ〜２６ｌのそれぞれの一部、複数の第４支持部材２８、複数の第１継手３４、複数の第２継手３６、複数の取付金具３８、および太陽光パネル２等の図示を省略している。
【００１２】
また、以下の説明において、鉛直方向とは、図１〜図５のＺ軸で示す方向であり、水平方向における第１方向とは、図１〜図５のＸ軸で示す方向であり、水平方向における第２方向とは、図１〜図５のＹ軸で示す方向である。Ｘ軸およびＹ軸は、相互に直交しかついずれもＺ軸に直交する軸である。
【００１３】
図１および図２を参照して、太陽光パネル屋上用足場架台２０の構成について説明する。なお、以下の説明では、太陽光パネル屋上用足場架台２０を、単に、架台２０ともいう。
【００１４】
詳細は後述するが、架台２０は、市販されている足場材を用いて構成され、一般的な足場工法で屋上に構築できる太陽光パネル用架台である。つまり、架台２０を構築する工法は、一般的な足場工法で、屋上に構築する工法である。したがって、架台２０は、専用架台でないため、安価で、耐久性が高く、施工方法も容易である。
【００１５】
具体的には、架台２０を設置する工法は、屋上の床面５にはアンカーボルトを打ち付けず、屋上の四面に設けられたパラペット３ａ〜３ｄ、および、パラペット３ａ〜３ｄに約２ｍピッチで新築設置されている外壁点検用ゴンドラ結束用のアンカーすなわち丸環４ａ〜４ｎ（吊り環とも言われている）を活用し、ターンバックル８２付きのワイヤロープ８４（ステンワイヤ）等で足場材と結束する工法としている。したがって、強風で足場材および太陽光パネル２が飛ばされても、地上に落下することを抑制できる。
【００１６】
さらに、架台２０では、一般的な足場材であるクランプ３点付きのブラケット４２およびブラケット４３を活用して足場支柱４０と結束し、浮き上がりの抑制と、水平引っ張り力の強化により、足場材とパラペット３ａ〜３ｄとの結束力が高められている。これは、引っ張りモーメントの成分分析を実験で証明、実用化を指向している。
【００１７】
地上に設置される太陽光パネル用架台に足場材を活用するのは一般的であるが、マンションの屋上に設置される太陽光パネル用架台には足場材が活用されていない。これは、太陽光パネル用架台の結束がアンカーボルト以外では困難であるということと、配電システムがないということが原因として考えられる。これらの原因によって、足場材を用いた太陽光パネル用架台の屋上設置のニーズがなく、マンションの屋上に設置される太陽光パネル用架台には足場材が活用されていない。以下に説明する結束工法で、屋上アンカーボルトが不要となり、足場材を用いた太陽光パネル用架台の屋上設置が一般的となる可能性がある。
【００１８】
図１および図２に示すように、架台２０は、建物１の屋上（陸屋根の上等）に設置される太陽光パネル用架台である。この実施の形態では、架台２０は、太陽光発電を行うための太陽光パネル２を支持している。太陽光パネル２を用いて得られた電力は、建物１等に供給される。なお、架台２０は、太陽光パネル２以外の物を支持してもよい。たとえば、建物１は、マンションまたはビル等である。
【００１９】
建物１の屋上には、複数のパラペット３ａ〜３ｄと、複数の丸環４ａ〜４ｎとが設けられている。屋上の床面５は、水平方向に延びる躯体６の上面によって形成されており、床面５には、防水加工が施されている。この実施の形態では、床面５に防水シート７等が貼り付けられることによって、防水加工が施されている。なお、防水シート７は、床面５だけでなく、複数のパラペット３ａ〜３ｄにも貼り付けられていてもよい。たとえば、躯体６は、コンクリート等によって形成されている。
【００２０】
複数のパラペット３ａ〜３ｄは、床面５の外周部から鉛直上方側に突出しており、平面視において床面５を囲むように設けられている。複数のパラペット３ａ〜３ｄのうちの一対のパラペット３ａ，３ｂは、水平方向における第１方向において相互に対向し、複数のパラペット３ａ〜３ｄのうちの一対のパラペット３ｃ，３ｄは、水平方向における第２方向において相互に対向している。複数のパラペット３ａ〜３ｄのそれぞれの内方には、鉄筋が入っている。
【００２１】
パラペット３ａは、本体８ａと、本体８ａの上端部に接続されている笠木９ａとを有しており、笠木９ａは、本体８ａよりもパラペット３ｂ側に突出している。ここでは、本体８ａよりもパラペット３ｂ側に突出している部分を、笠木９ａとしている。パラペット３ｂは、本体８ｂと、本体８ｂの上端部に接続されている笠木９ｂとを有しており、笠木９ｂは、本体８ｂよりもパラペット３ａ側に突出している。ここでは、本体８ｂよりもパラペット３ａ側に突出している部分を、笠木９ｂとしている。パラペット３ｃは、本体８ｃと、本体８ｃの上端部に接続されている笠木９ｃとを有しており、笠木９ｃは、本体８ｃよりもパラペット３ｄ側に突出している。ここでは、本体８ｃよりもパラペット３ｄ側に突出している部分を、笠木９ｃとしている。パラペット３ｄは、本体８ｄと、本体８ｄの上端部に接続されている笠木９ｄとを有しており、笠木９ｄは、本体８ｄよりもパラペット３ｃ側に突出している。ここでは、本体８ｄよりもパラペット３ｃ側に突出している部分を、笠木９ｄとしている。
【００２２】
たとえば、本体８ａおよび笠木９ａ、本体８ｂおよび笠木９ｂ、本体８ｃおよび笠木９ｃ、ならびに本体８ｄおよび笠木９ｄのそれぞれは、コンクリート等によって一体的に形成されている。
【００２３】
また、たとえば、第１方向における本体８ａおよび本体８ｂの間の距離は、約１５ｍである。たとえば、この距離は、玄関からベランダまでの距離と概ね等しくなる。また、第１方向において、本体８ａおよび本体８ｂのそれぞれの厚みは、約２００ｍｍ〜３００ｍｍであり、笠木９ａおよび笠木９ｂのそれぞれの厚みは、約５０ｍｍである。つまり、第１方向において、パラペット３ａの上端部の厚み（本体８ａと笠木９ａとを合わせた厚み）、およびパラペット３ｂの上端部の厚み（本体８ｂと笠木９ｂとを合わせた厚み）は、約２５０ｍｍ〜３５０ｍｍである。また、第２方向において、本体８ｃおよび本体８ｄのそれぞれの厚みは、約２００ｍｍ〜３００ｍｍであり、笠木９ｃおよび笠木９ｄのそれぞれの厚みは、約５０ｍｍである。つまり、第２方向において、パラペット３ｃの上端部の厚み（本体８ｃと笠木９ｃとを合わせた厚み）、およびパラペット３ｄの上端部の厚み（本体８ｄと笠木９ｄとを合わせた厚み）は、約２５０ｍｍ〜３５０ｍｍである。
【００２４】
また、たとえば、床面５からパラペット３ａの上端まで、床面５からパラペット３ｂの上端まで、床面５からパラペット３ｃの上端まで、および床面５からパラペット３ｄの上端までのそれぞれの高さは、約６００ｍｍである。また、床面５から笠木９ａの下端まで、床面５から笠木９ｂの下端まで、床面５から笠木９ｃの下端まで、および床面５から笠木９ｄの下端までのそれぞれの高さは、約３００〜約４００ｍｍである。また、鉛直方向における躯体６の厚みは、約１２０ｍｍ〜約１５０ｍｍである。
【００２５】
複数の丸環４ａ〜４ｎは、一般的に、建物１の補修用のゴンドラ等を吊り下げるためのロープ等を固定するために用いられる金具である。丸環４ａ〜４ｄは、一対のパラペット３ａ，３ｂのうちのパラペット３ａの笠木９ａに取り付けられており、第２方向に並んでいる。丸環４ｅ〜４ｈは、一対のパラペット３ａ，３ｂのうちのパラペット３ｂの笠木９ｂに取り付けられており、第２方向に並んでいる。丸環４ｉ〜４ｋは、一対のパラペット３ｃ，３ｄのうちのパラペット３ｃの笠木９ｃに取り付けられており、第１方向に並んでいる。丸環４ｌ〜４ｎは、一対のパラペット３ｃ，３ｄのうちのパラペット３ｄの笠木９ｄに取り付けられており、第１方向に並んでいる。たとえば、丸環４ａ〜４ｄ、丸環４ｅ〜４ｈ、丸環４ｉ〜４ｋ、ならびに丸環４ｌ〜４ｎのそれぞれは、約２ｍピッチで配置されている。
【００２６】
丸環４ａは、取付金具１０と、リング１１とを有している。取付金具１０は、平面視略Ｔ字状の金具であり、笠木９ａに固定されている。リング１１は、円環状の金具であり、取付金具１０を介して笠木９ａに取り付けられている。たとえば、丸環４ａは、吊環とも呼ばれる。
【００２７】
複数の丸環４ｂ〜４ｎは、丸環４ａと同様の構成を有しているため、上述した丸環４ａの説明を参照することによって、複数の丸環４ｂ〜４ｎの詳細な説明を省略する。
【００２８】
このように、建物１の屋上には、一対のパラペット３ａ，３ｂと、一対のパラペット３ａ，３ｂのうちのパラペット３ａに取り付けられている丸環４ａ〜４ｄと、一対のパラペット３ａ，３ｂのうちのパラペット３ｂに取り付けられている丸環４ｅ〜４ｈとが設けられている。この実施の形態では、丸環４ａ〜４ｄのそれぞれが、第１丸環に相当し、丸環４ｅ〜４ｈのそれぞれが、第２丸環に相当する。
【００２９】
また、建物１の屋上には、一対のパラペット３ｃ，３ｄと、一対のパラペット３ｃ，３ｄのうちのパラペット３ｃに取り付けられている丸環４ｉ〜４ｋと、一対のパラペット３ｃ，３ｄのうちのパラペット３ｄに取り付けられている丸環４ｌ〜４ｎとが設けられている。この実施の形態では、丸環４ｉ〜４ｋのそれぞれが、第３丸環に相当し、丸環４ｌ〜４ｎのそれぞれが、第４丸環に相当する。
【００３０】
なお、丸環の個数を増やしたい場合等には、たとえば、ボルト等を用いて丸環を笠木９ａ〜９ｄに新たに設置してもよい。この場合、ケミカルアンカー（登録商標）等を用いることで、丸環を笠木により強固に固定できる。
【００３１】
架台２０は、複数の第１支持部材２２ａ〜２２ｄと、複数の第２支持部材２４ａ〜２４ｃと、複数の第３支持部材２６ａ〜２６ｌと、複数の第４支持部材２８と、複数のクランプ３０ａ〜３０ｌと、複数のクランプ３２ａ〜３２ｌと、複数の第１継手３４と、複数の第２継手３６と、複数の取付金具３８とを備えている。
【００３２】
複数の第１支持部材２２ａ〜２２ｄは、複数の丸環４ａ〜４ｈに対応して設けられている。具体的には、第１支持部材２２ａは丸環４ａおよび丸環４ｅに対応し、第１支持部材２２ｂは丸環４ｂおよび丸環４ｆに対応し、第１支持部材２２ｃは丸環４ｃおよび丸環４ｇに対応し、第１支持部材２２ｄは丸環４ｄおよび丸環４ｈに対応して設けられている。複数の第１支持部材２２ａ〜２２ｄのそれぞれは、第１方向に延び、複数の第１支持部材２２ａ〜２２ｄは、第２方向に並んでいる。複数の第１支持部材２２ａ〜２２ｄのそれぞれは、一対のパラペット３ａ，３ｂを突っ張ること等によって、一対のパラペット３ａ，３ｂの間に固定されている。
【００３３】
第１支持部材２２ａは、足場支柱４０と、ブラケット４２と、ロープ部材４４と、ブラケット４３と、ロープ部材４５とを有している。この実施の形態では、ブラケット４２が第１ブラケットに相当し、ロープ部材４４が第１ロープ部材に相当し、ブラケット４３が第２ブラケットに相当し、ロープ部材４５が第２ロープ部材に相当する。
【００３４】
第１支持部材２２ａの足場支柱４０は、丸環４ａおよび丸環４ｅよりも鉛直下方側に位置しており、丸環４ａおよび丸環４ｅよりも鉛直下方側において、一対のパラペット３ａ，３ｂを突っ張る。足場支柱４０は、複数の足場用パイプ４６，４８，５０と、複数のジョイント５２，５４と、複数のジャッキベース５６，５８とを有しており、これらを繋ぎ合わせることによって略棒状に形成されている。
【００３５】
複数の足場用パイプ４６〜５０のそれぞれは、一般的に、足場を構成するために用いられる中空の棒状部材である。複数の足場用パイプ４６〜５０のそれぞれは、第１方向に延び、複数の足場用パイプ４６〜５０は、第１方向に並んでいる。たとえば、複数の足場用パイプ４６〜５０のそれぞれには、溶融亜鉛メッキ処理等が施されており、雨および風等による複数の足場用パイプ４６〜５０の腐食を長期間（たとえば２０年以上）に亘って抑制できる。
【００３６】
複数のジョイント５２，５４のそれぞれは、複数の足場用パイプ４６〜５０のうちの隣り合う足場用パイプを連結する連結部材である。
【００３７】
ジョイント５２は、足場用パイプ４６と足場用パイプ４８とが独立して第１方向に移動できる状態で、足場用パイプ４６と足場用パイプ４８とを連結している。つまり、足場用パイプ４６は、足場用パイプ４８に対して第１方向に移動でき、足場用パイプ４８は、足場用パイプ４６に対して第１方向に移動できる。ジョイント５２は、いわゆる直線ジョイントまたはＣ型ジョイント等のジョイントであり、ジョイント５２の一端部は、足場用パイプ４６の内方に挿入され、ジョイント５２の他端部は、足場用パイプ４８の内方に挿入されている。たとえば、ボルト（図示せず）を締め付けることによって、ジョイント５２が外方に広がって足場用パイプ４６の内面および足場用パイプ４８の内面を押圧する。ボルトを締め付けすぎるとジョイント５２による押圧力が大きくなり、足場用パイプ４６と足場用パイプ４８とが独立して第１方向に移動できなくなる場合がある。足場用パイプ４６と足場用パイプ４８とが独立して第１方向に移動できる程度にボルトを締め付けることによって、足場用パイプ４６と足場用パイプ４８とが独立して第１方向に移動できる状態で、足場用パイプ４６と足場用パイプ４８とを連結することができる。
【００３８】
ジョイント５４は、足場用パイプ４８と足場用パイプ５０とが独立して第１方向に移動できる状態で、足場用パイプ４８と足場用パイプ５０とを連結している。ジョイント５４は、ジョイント５２と同様の構成を有しているので、上述したジョイント５２の説明を参照することによって、ジョイント５４の詳細な説明を省略する。
【００３９】
なお、たとえば、ジョイント５２は、足場用パイプ４６と足場用パイプ４８とが独立して第１方向に移動できない状態で足場用パイプ４６と足場用パイプ４８とを連結してもよい。また、ジョイント５４は、足場用パイプ４８と足場用パイプ５０とが独立して第１方向に移動できない状態で足場用パイプ４８と足場用パイプ５０とを連結してもよい。また、直線ジョイントまたはＣ型ジョイント以外の部材を用いて、複数の足場用パイプ４６〜５０を連結してもよい。
【００４０】
複数のジャッキベース５６，５８は、足場支柱４０の両端部に設けられている。複数のジャッキベース５６，５８のそれぞれは、足場支柱４０の長さを伸縮させるための伸縮部材である。
【００４１】
ジャッキベース５６は、複数の足場用パイプ４６〜５０のうちの最もパラペット３ａ側に設けられている足場用パイプ４６の一端部に接続されている。ジャッキベース５６は、基板６０と、ネジ部６２と、ハンドル６４とを有している。
【００４２】
基板６０は、第１方向に直交する方向に延び、パラペット３ａの本体８ａの内側面に当接している。ネジ部６２は、基板６０からパラペット３ｂ側に延び、足場用パイプ４６の内方に挿入されている。ハンドル６４は、ネジ部６２と螺合し、ネジ部６２に対して回転可能に設けられている。ハンドル６４は、ネジ部６２に対して回転することによって、ネジ部６２に対して第１方向に移動する。ハンドル６４は、足場用パイプ４６の一端部に当接している。ハンドル６４が基板６０から遠ざかる方向に移動するように、ハンドル６４を回転させることによって、基板６０は、ネジ部６２とともにパラペット３ａ側に押し出され、パラペット３ａの本体８ａの内側面を押圧する。
【００４３】
ジャッキベース５８は、複数の足場用パイプ４６〜５０のうちの最もパラペット３ｂ側に設けられている足場用パイプ５０の他端部に接続されている。ジャッキベース５８は、基板６６と、ネジ部６８と、ハンドル７０とを有している。
【００４４】
基板６６は、第１方向に直交する方向に延び、パラペット３ｂの本体８ｂの内側面に当接している。ネジ部６８は、基板６６からパラペット３ａ側に延び、足場用パイプ５０の内方に挿入されている。ハンドル７０は、ネジ部６８と螺合し、ネジ部６８に対して回転可能に設けられている。ハンドル７０は、ネジ部６８に対して回転することによって、ネジ部６８に対して第１方向に移動する。ハンドル７０は、足場用パイプ５０の他端部に当接している。ハンドル７０が基板６６から遠ざかる方向に移動するように、ハンドル７０を回転させることによって、基板６６は、ネジ部６８とともにパラペット３ｂ側に押し出され、パラペット３ｂの本体８ｂの内側面を押圧する。
【００４５】
基板６０がパラペット３ａの本体８ａの内側面を押圧し、基板６６がパラペット３ｂの本体８ｂの内側面を押圧することによって、足場支柱４０は、一対のパラペット３ａ，３ｂを突っ張る。
【００４６】
第１支持部材２２ａのブラケット４２は、第１支持部材２２ａの足場支柱４０に固定され、当該足場支柱４０よりも鉛直下方側に突出している。この実施の形態では、ブラケット４２は、第１方向から見たとき、鉛直方向に沿って突出するように固定されている。なお、ブラケット４２は、第１方向から見たとき、鉛直方向に対して傾いて固定されていてもよい。具体的には、たとえば、ブラケット４２は、第１方向から見たとき、鉛直方向に対して０度〜４５度の間で傾いて固定されていてもよい。このように、ブラケット４２を鉛直方向に対して傾けることによって、ブラケット４２を傾ける前と比べて、鉛直方向における床面５とブラケット４２との距離を大きくできる。これによって、ブラケット４２を傾ける前よりも、足場支柱４０を鉛直下方側に配置することが可能となり、太陽光パネル２を低い位置に設置することが可能となる。
【００４７】
たとえば、ブラケット４２の高さ（クランプ７４からクランプ８０までの距離）が３００ｍｍ〜４００ｍｍである場合、ブラケット４２を鉛直方向に沿って突出するように固定すると、パラペット３ａ〜３ｄの高さによっては、太陽光パネル２の上面がパラペット３ａ〜３ｄよりも上方にはみ出てしまい、太陽光パネル２が風圧を受けるという懸念が生じる。そこで、ブラケット４２を鉛直方向に対して傾けて固定することで、足場支柱４０をより低い位置に配置でき、太陽光パネル２の上面がパラペット３ａ〜３ｄよりも上方にはみ出てしまうことを抑制できる。
【００４８】
なお、ブラケット４２を、鉛直方向に対して４５度以上傾けて固定した場合、足場支柱４０に捻じれが生じ易く、足場支柱４０およびブラケット４２に加わる荷重の鉛直下方側への成分が小さくなって足場支柱４０が浮き上がり易くなるので、好ましくない。
【００４９】
つまり、ブラケット４２の設置角度が鉛直（０度）から４５度までの角度であれば、浮き上がりはなく、鉛直にブラケットを設置した場合と変わりなく、水平方向の引っ張り力は強化されるが、ブラケット４２の設置角度が４５度以上となれば、捻じれが生じ、浮き上がりが生じ、ブラケット活用のモーメント効果が減ぜられる。したがって、屋上の床面５から足場支柱４０までの高さは、ある程度（１５０ｍｍ〜２００ｍｍ）調整可能である。これは、実験で証明済みのモーメントである。
【００５０】
上述したように、ブラケット４２は、一般的に、足場を構成するために用いられるクランプ３点付きのブラケットである。具体的には、ブラケット４２は、一般的に、足場用パイプに固定されて足場板を支持するために用いられるブラケットである。ブラケット４２は、本体７２と、足場支柱４０に固定される２つのクランプ７４，７６と、足場支柱４０よりも鉛直下方側に位置する１つのクランプ８０と、フック部１２０とを有する。この実施の形態では、クランプ７４，７６のそれぞれが第１クランプに相当し、クランプ８０が第２クランプに相当する。
【００５１】
本体７２は、略三角形状であり、２つのクランプ７４，７６を介して足場用パイプ５０に固定されている。本体７２は、第１方向において、一対のパラペット３ａ，３ｂの間の中央よりもパラペット３ｂ側に設けられている。本体７２は、足場支柱４０よりも鉛直下方側において、第１方向におけるパラペット３ａ側に向かうにつれて鉛直下方側に位置するように傾斜する傾斜面７８を有する。クランプ７４，７６は、足場用パイプ５０を挟持することによって、足場用パイプ５０に固定されている。クランプ８０は、傾斜面７８の下端部に接続されている。傾斜面７８およびクランプ８０は、第１方向において、一対のパラペット３ａ，３ｂの間の中央よりもパラペット３ｂ側に位置している。フック部１２０は、傾斜面７８から立設するように、本体７２に固定されている。たとえば、フック部１２０はネジ部を有しており、本体７２に当該ネジ部と螺合するネジ穴が開けられ、当該ネジ部を当該ネジ穴に螺合させることによって、フック部１２０は、本体７２に固定されている。
【００５２】
第１支持部材２２ａのロープ部材４４は、その一端部が丸環４ａのリング１１に固定され、その他端部がクランプ８０よりもパラペット３ａとは反対側すなわちパラペット３ｂ側かつクランプ８０よりも鉛直上方側においてブラケット４２に固定され、クランプ８０を経由した状態で張設されており、足場支柱４０をパラペット３ａ側に向けて引っ張る。つまり、ロープ部材４４は、鉛直下方側に凸となるように略Ｖ字状に屈曲した状態で張設され、足場支柱４０をパラペット３ａ側に向けて引っ張る。ロープ部材４４は、ターンバックル８２と、ワイヤロープ８４とを有しており、これらによってロープ状に形成されている。
【００５３】
ターンバックル８２は、ロープ部材４４の長さを伸縮させるための伸縮部材である。ターンバックル８２は、ロープ部材４４の一端部に設けられている。ターンバックル８２は、本体８６と、一対のフック部８８，９０とを有する。フック部８８は、丸環４ａのリング１１に引っ掛けられている。フック部８８は、本体８６に対して回転可能である。フック部８８を本体８６に対して回転させることによって、フック部８８は、フック部９０に対して近づく方向または遠ざかる方向に移動する。フック部９０は、ワイヤロープ８４の環状部９４に引っ掛けられている。フック部９０は、本体８６に対して回転可能である。フック部９０を本体８６に対して回転させることによって、フック部９０は、フック部８８に対して近づく方向または遠ざかる方向に移動する。
【００５４】
ワイヤロープ８４は、ワイヤロープ８４の一端部において環状部９４を有しており、ワイヤロープ８４の他端部において環状部９６を有している。環状部９４は、クランプ８０よりもパラペット３ａ側かつクランプ８０よりも鉛直上方側において、フック部９０に引っ掛けられている。環状部９６は、クランプ８０よりもパラペット３ｂ側かつクランプ８０よりも鉛直上方側において、フック部１２０に引っ掛けられている。ワイヤロープ８４は、環状部９４および環状部９６の間においてブラケット４２のクランプ８０に接触し、鉛直下方側に凸になるように屈曲している。具体的には、ワイヤロープ８４は、筒状のクランプ８０の内方を通っており、クランプ８０の内面に接触している。たとえば、ワイヤロープ８４は、ステンレス製のワイヤロープである。
【００５５】
たとえば、フック部８８および／またはフック部９０を回転させて、フック部８８とフック部９０とを相互に近づけることによって、ワイヤロープ８４を丸環４ａに向かって引っ張ることができ、ロープ部材４４を張設できる。これによって、ロープ部材４４は、その一端部が丸環４ａに固定され、その他端部がブラケット４２に固定され、クランプ８０を経由した状態で張設された状態となる。
【００５６】
ロープ部材４４は、上述のように張設された状態において、クランプ８０から第１方向におけるパラペット３ｂ側に向かうにつれて鉛直上方側に位置するように延びた後にブラケット４２に固定される第１部分と、クランプ８０から第１方向におけるパラペット３ａ側に向かうにつれて鉛直上方側に位置するように延びた後に丸環４ａに固定される第２部分とを有している。第１部分は、傾斜面７８に沿って設けられる部分である。
【００５７】
つまり、ロープ部材４４は、その他端部がブラケット４２に固定された後、第１方向におけるパラペット３ａ側に向かうにつれて鉛直下方側に位置するように、傾斜面７８に沿って延び、その後、クランプ８０に接触する。ロープ部材４４は、クランプ８０に接触した後、第１方向におけるパラペット３ａ側に向かうにつれて鉛直上方側に位置するように延び、その後、その一端部が丸環４ａに固定される。
【００５８】
第１支持部材２２ａのブラケット４３は、第１支持部材２２ａの足場支柱４０に固定され、当該足場支柱４０よりも鉛直下方側に突出しており、第１支持部材２２ａのブラケット４２よりもパラペット３ａ側に設けられている。具体的には、ブラケット４３は、第１方向における一対のパラペット３ａ，３ｂの間の中央を基準としたとき、ブラケット４２と対称な位置に設けられている。この実施の形態では、ブラケット４３は、第１方向から見たとき、鉛直方向に沿って突出するように固定されている。なお、ブラケット４３は、ブラケット４２と同様、第１方向から見たとき、鉛直方向に対して傾いて固定されていてもよい。
【００５９】
上述したように、ブラケット４３は、一般的に、足場を構成するために用いられるクランプ３点付きのブラケットである。具体的には、ブラケット４３は、一般的に、足場用パイプに固定されて足場板を支持するために用いられるブラケットである。ブラケット４３は、本体７３と、足場支柱４０に固定される２つのクランプ７５，７７と、足場支柱４０よりも鉛直下方側に位置する１つのクランプ８１と、フック部１２１とを有する。この実施の形態では、クランプ７５，７７のそれぞれが第３クランプに相当し、クランプ８１が第４クランプに相当する。
【００６０】
本体７３は、略三角形状であり、２つのクランプ７５，７７を介して足場用パイプ４６に固定されている。本体７３は、第１方向において、一対のパラペット３ａ，３ｂの間の中央よりもパラペット３ａ側に設けられている。本体７３は、足場支柱４０よりも鉛直下方側において、第１方向におけるパラペット３ｂ側に向かうにつれて鉛直下方側に位置するように傾斜する傾斜面７９を有する。クランプ７５，７７は、足場用パイプ４６を挟持することによって、足場用パイプ４６に固定されている。クランプ８１は、傾斜面７９の下端部に接続されている。傾斜面７９およびクランプ８１は、第１方向において、一対のパラペット３ａ，３ｂの間の中央よりもパラペット３ａ側に位置している。フック部１２１は、傾斜面７９から立設するように、本体７３に固定されている。たとえば、フック部１２１はネジ部を有しており、本体７３に当該ネジ部と螺合するネジ穴が開けられ、当該ネジ部を当該ネジ穴に螺合させることによって、フック部１２１は、本体７３に固定されている。
【００６１】
第１支持部材２２ａのロープ部材４５は、その一端部がクランプ８１よりもパラペット３ｂとは反対側すなわちパラペット３ａ側かつクランプ８１よりも鉛直上方側においてブラケット４３に固定され、その他端部が丸環４ｅのリング１１に固定され、クランプ８１を経由した状態で張設されており、足場支柱４０をパラペット３ｂ側に向けて引っ張る。つまり、ロープ部材４５は、鉛直下方側に凸となるように略Ｖ字状に屈曲した状態で張設され、足場支柱４０をパラペット３ｂ側に向けて引っ張る。ロープ部材４５は、ターンバックル８３と、ワイヤロープ８５とを有しており、これらによってロープ状に形成されている。
【００６２】
ターンバックル８３は、ロープ部材４５の長さを伸縮させるための伸縮部材である。ターンバックル８３は、ロープ部材４５の他端部に設けられている。ターンバックル８３は、本体８７と、一対のフック部８９，９１とを有する。フック部８９は、丸環４ｅのリング１１に引っ掛けられている。フック部８９は、本体８７に対して回転可能である。フック部８９を本体８７に対して回転させることによって、フック部８９は、フック部９１に対して近づく方向または遠ざかる方向に移動する。フック部９１は、ワイヤロープ８５の環状部９５に引っ掛けられている。フック部９１は、本体８７に対して回転可能である。フック部９１を本体８７に対して回転させることによって、フック部９１は、フック部８９に対して近づく方向または遠ざかる方向に移動する。
【００６３】
ワイヤロープ８５は、ワイヤロープ８５の他端部において環状部９５を有しており、ワイヤロープ８５の一端部において環状部９７を有している。環状部９５は、クランプ８１よりもパラペット３ｂ側かつクランプ８１よりも鉛直上方側において、フック部９１に引っ掛けられている。環状部９７は、クランプ８１よりもパラペット３ａ側かつクランプ８１よりも鉛直上方側において、フック部１２１に引っ掛けられている。ワイヤロープ８５は、環状部９５および環状部９７の間においてブラケット４３のクランプ８１に接触し、鉛直下方側に凸になるように屈曲している。具体的には、ワイヤロープ８５は、筒状のクランプ８１の内方を通っており、クランプ８１の内面に接触している。たとえば、ワイヤロープ８５は、ステンレス製のワイヤロープである。
【００６４】
たとえば、フック部８９および／またはフック部９１を回転させて、フック部８９とフック部９１とを相互に近づけることによって、ワイヤロープ８５を丸環４ｅに向かって引っ張ることができ、ロープ部材４５を張設できる。これによって、ロープ部材４５は、その一端部がブラケット４３に固定され、その他端部が丸環４ｅに固定され、クランプ８１を経由した状態で張設された状態となる。
【００６５】
ロープ部材４５は、上述のように張設された状態において、クランプ８１から第１方向におけるパラペット３ａ側に向かうにつれて鉛直上方側に位置するように延びた後にブラケット４３に固定される第３部分と、クランプ８１から第１方向におけるパラペット３ｂ側に向かうにつれて鉛直上方側に位置するように延びた後に丸環４ｅに固定される第４部分とを有している。第３部分は、傾斜面７９に沿って設けられる部分である。
【００６６】
つまり、ロープ部材４５は、その一端部がブラケット４３に固定された後、第１方向におけるパラペット３ｂ側に向かうにつれて鉛直下方側に位置するように、傾斜面７９に沿って延び、その後、クランプ８１に接触する。ロープ部材４５は、クランプ８１に接触した後、第１方向におけるパラペット３ｂ側に向かうにつれて鉛直上方側に位置するように延び、その後、その他端部が丸環４ｅに固定される。
【００６７】
第１支持部材２２ｂ〜２２ｄは、第１支持部材２２ａと同様の構成を有しているため、上述した第１支持部材２２ａの説明を参照することによって、第１支持部材２２ｂ〜２２ｄの詳細な説明を省略する。
【００６８】
たとえば、複数の第１支持部材２２ａ〜２２ｄのうちの隣り合う第１支持部材の足場支柱４０の間の間隔は、約５００ｍｍである。
【００６９】
複数の第２支持部材２４ａ〜２４ｃは、複数の丸環４ｉ〜４ｎに対応して設けられている。具体的には、第２支持部材２４ａは丸環４ｉおよび丸環４ｌに対応し、第２支持部材２４ｂは丸環４ｊおよび丸環４ｍに対応し、第２支持部材２４ｃは丸環４ｋおよび丸環４ｎに対応して設けられている。複数の第２支持部材２４ａ〜２４ｃのそれぞれは、第２方向に延び、複数の第２支持部材２４ａ〜２４ｃは、第１方向に並んでいる。
【００７０】
第２支持部材２４ａは、複数の足場用パイプ４６〜５０に代えて複数の足場用パイプ９８，１００，１０２，１０４を有しており、ワイヤロープ８４に代えてワイヤロープ１０６を有しており、ワイヤロープ８５に代えてワイヤロープ１０７を有しており、ジョイント１０８をさらに有している点において、第１支持部材２２ａと主に異なっている。
【００７１】
複数の足場用パイプ９８〜１０４の長さは、複数の足場用パイプ４６〜５０の長さよりも短く、ワイヤロープ１０６の長さは、ワイヤロープ８４の長さよりも短く、ワイヤロープ１０７の長さは、ワイヤロープ８５の長さよりも短い。ジョイント１０８は、ジョイント５２と同様の構成を有している。
【００７２】
第２支持部材２４ａは、複数の第１支持部材２２ａ〜２２ｄと交差するように設けられている。第２支持部材２４ａは、クランプ３０ａによって第１支持部材２２ａと、クランプ３０ｄによって第１支持部材２２ｂと、クランプ３０ｇによって第１支持部材２２ｃと、クランプ３０ｊによって第１支持部材２２ｄと、固定されている。
【００７３】
第２支持部材２４ｂ，２４ｃは、第２支持部材２４ａと同様の構成を有しているため、上述した第２支持部材２４ａの説明を参照することによって、第２支持部材２４ｂ，２４ｃの詳細な説明を省略する。
【００７４】
第２支持部材２４ｂは、クランプ３０ｂによって第１支持部材２２ａと、クランプ３０ｅによって第１支持部材２２ｂと、クランプ３０ｈによって第１支持部材２２ｃと、クランプ３０ｋによって第１支持部材２２ｄと、固定されている。
【００７５】
第２支持部材２４ｃは、クランプ３０ｃによって第１支持部材２２ａと、クランプ３０ｆによって第１支持部材２２ｂと、クランプ３０ｉによって第１支持部材２２ｃと、クランプ３０ｌによって第１支持部材２２ｄと、固定されている。
【００７６】
たとえば、複数のクランプ３０ａ〜３０ｌのそれぞれは、いわゆる自在クランプである。
【００７７】
複数の第３支持部材２６ａ〜２６ｌのそれぞれは、鉛直方向に延び、複数の第３支持部材２６ａ〜２６ｌは、第１方向および第２方向に並んでいる。
【００７８】
第３支持部材２６ａは、足場用パイプ１１０と、ジャッキベース１１２とを有している。足場用パイプ１１０は、鉛直方向に延びている。ジャッキベース１１２は、基板１１４と、ネジ部１１６と、ハンドル１１８とを有している。基板１１４は、水平方向に延び、防水シート７に当接している。ネジ部１１６は、基板１１４から鉛直上方側に延び、足場用パイプ１１０の内方に挿入されている。ハンドル１１８は、ネジ部１１６と螺合し、ネジ部１１６に対して回転可能に設けられている。ハンドル１１８は、ネジ部１１６に対して回転することによって、ネジ部１１６に対して鉛直方向に移動する。ハンドル１１８は、足場用パイプ１１０の下端部に当接している。ハンドル１１８を回転させることによって、足場用パイプ１１０は、ハンドル１１８とともに鉛直方向に移動する。これによって、太陽光パネル２を設置する高さを変更することができる。
【００７９】
第３支持部材２６ｂ〜２６ｌは、第３支持部材２６ａと同様の構成を有しているため、上述した第３支持部材２６ａの説明を参照することによって、第３支持部材２６ｂ〜２６ｌの詳細な説明を省略する。
【００８０】
第３支持部材２６ａは、クランプ３２ａによって第１支持部材２２ａに固定され、第３支持部材２６ｂは、クランプ３２ｂによって第１支持部材２２ａに固定され、第３支持部材２６ｃは、クランプ３２ｃによって第１支持部材２２ａに固定されている。
【００８１】
第３支持部材２６ｄは、クランプ３２ｄによって第１支持部材２２ｂに固定され、第３支持部材２６ｅは、クランプ３２ｅによって第１支持部材２２ｂに固定され、第３支持部材２６ｆは、クランプ３２ｆによって第１支持部材２２ｂに固定されている。
【００８２】
第３支持部材２６ｇは、クランプ３２ｇによって第１支持部材２２ｃに固定され、第３支持部材２６ｈは、クランプ３２ｈによって第１支持部材２２ｃに固定され、第３支持部材２６ｉは、クランプ３２ｉによって第１支持部材２２ｃに固定されている。
【００８３】
第３支持部材２６ｊは、クランプ３２ｊによって第１支持部材２２ｄに固定され、第３支持部材２６ｋは、クランプ３２ｋによって第１支持部材２２ｄに固定され、第３支持部材２６ｌは、クランプ３２ｌによって第１支持部材２２ｄに固定されている。
【００８４】
たとえば、複数のクランプ３２ａ〜３２ｌのそれぞれは、いわゆる自在クランプである。
【００８５】
複数の第４支持部材２８のそれぞれは、第１方向に延び、複数の第４支持部材２８は、第１方向および第２方向に並んでいる。たとえば、複数の第４支持部材２８のそれぞれは、足場用パイプである。
【００８６】
複数の第４支持部材２８のうちの２つの第４支持部材２８は、第１支持部材２２ａの鉛直上方において、第１方向に並んで設けられている。当該２つの第４支持部材２８は、第１継手３４によって、相互に連結されるとともに、第３支持部材２６ｂの上端部に固定されている。当該２つの第４支持部材２８のうちの一方側の第４支持部材２８は、第２継手３６によって第３支持部材２６ａの上端部にも固定されている。当該２つの第４支持部材２８のうちの他方側の第４支持部材２８は、第２継手３６によって第３支持部材２６ｃの上端部にも固定されている。
【００８７】
図示は省略するが、第１支持部材２２ｂの上方、第１支持部材２２ｃの上方、および第１支持部材２２ｄの上方のそれぞれについても同様に、２つの第４支持部材２８が設けられている。
【００８８】
この実施の形態では、架台２０は、４つの太陽光パネル２（２つのみ図示）を支持している。具体的には、第２方向に並んで設けられている２つの第４支持部材２８の上に１つの太陽光パネル２が載置され、第４支持部材２８と取付金具３８とで太陽光パネル２を挟むようにして、太陽光パネル２が架台２０に固定される。架台２０は、４つの太陽光パネル２を水平方向と平行な状態で支持している。また、架台２０は、鉛直方向において、４つの太陽光パネル２が複数のパラペット３ａ〜３ｄよりも鉛直上方側にはみ出さないように、４つの太陽光パネル２を支持している。つまり、架台２０は、４つの太陽光パネル２の上面が複数のパラペット３ａ〜３ｄの上面と同じ高さになるように、または４つの太陽光パネル２の上面がパラペット３ａ〜３ｄの上面よりも鉛直下方側に位置するように、４つの太陽光パネル２を支持している。これによって、太陽光パネル２に風が当たることを抑制できるので、風で太陽光パネル２および架台２０が動いてしまうことを抑制できる。
【００８９】
たとえば、建物１の大規模改修に併せて建物１の屋上に架台２０を設置する場合、建物１の大規模改修に用いられた足場を構成していた足場用パイプを用いて架台２０を施工できる。これによって、架台２０を施工するための足場用パイプを別途準備する必要がなく、架台２０を設置するためのコストを削減できる。また、大規模改修を行った職人等が当該足場用パイプを用いて架台２０を施工することができる。足場用パイプの取り扱いに慣れている職人等が架台２０を施工することによって、架台２０を容易に設置できるとともに、架台２０を設置するためのコストを削減できる。
【００９０】
このように、架台２０は、一般的な足場工法によって屋上に構築できる架台であり、屋上に元々設置（新築設置）されている丸環を活用でき、足場に用いられる部材を用いて構築できる架台であるので、安価であり、耐久性が高く、施工が容易である。
【００９１】
また、架台２０を屋上に設置した後に屋上の補修をする場合であっても、架台２０における足場用パイプと足場用パイプとの間を歩行可能であるので、架台２０を撤去することなく屋上の補修を容易に行うことができる。また、屋上に塔屋があったとしても、塔屋を避けるように（たとえば足場用パイプと足場用パイプとの間に塔屋が位置するように）、足場用パイプを組んで架台２０を設置することができるので、塔屋が架台２０の設置を妨げることを抑制できる。
【００９２】
以上、架台２０の構成について説明した。
【００９３】
図３は、図１の架台２０の足場支柱４０、ブラケット４２、およびブラケット４３に加わる荷重を示す図である。なお、図３では、図面が煩雑になることを避けるため、第１支持部材２２ａのワイヤロープ８５を破線で示している。図３を参照して、架台２０の足場支柱４０、ブラケット４２、およびブラケット４３に加わる荷重について説明する。
【００９４】
図３に示すように、ブラケット４２のクランプ８０を経由して張設されたロープ部材４４によって、足場支柱４０およびブラケット４２には、第１荷重（図３の矢印Ｐ１参照）および第２荷重（図３の矢印Ｐ２参照）が加わる。第１荷重の向きと第２荷重の向きとは異なっているが、第１荷重の大きさと第２荷重の大きさとは等しくなる場合がある。つまり、第１荷重の大きさをＰ１とし、第２荷重の大きさをＰ２としたとき、Ｐ１＝Ｐ２となる場合がある。
【００９５】
たとえば、鉛直方向に対するロープ部材４４の傾きを調整することによって、第１荷重の向きおよび第２荷重の向きを調整できる。また、ターンバックル８２によって、第１荷重の大きさおよび第２荷重の大きさを調整できる。
【００９６】
第１荷重は、第１方向におけるパラペット３ａ側に向かうにつれて鉛直下方側に向かう方向への荷重である。第１荷重は、鉛直下方側への第１成分（図３の矢印Ｐ１ａ参照）と、第１方向におけるパラペット３ａ側への第２成分（図３の矢印Ｐ１ｂ参照）とに分けることができる。
【００９７】
第２荷重は、第１方向におけるパラペット３ａ側に向かうにつれて鉛直上方側に向かう方向への荷重である。第２荷重は、鉛直上方側への第３成分（図３の矢印Ｐ２ａ参照）と、第１方向におけるパラペット３ａ側への第４成分（図３の矢印Ｐ２ｂ参照）とに分けることができる。ロープ部材４４の一端部（パラペット３ａ側の端部）を、足場支柱４０よりも鉛直上方側において、より鉛直下方側に固定することによって、第３成分の大きさをより小さくできるとともに、第４成分の大きさをより大きくできる。これによって、足場支柱４０が鉛直上方に浮き上がることを抑制しつつ、足場支柱４０をパラペット３ａ側により大きい力で引っ張ることができる。
【００９８】
たとえば、足場支柱４０およびブラケット４２の回転の支点を支点Ａとしたとき、足場支柱４０およびブラケット４２には、後述するような力のモーメントが加わる。この実施の形態では、支点Ａは、足場支柱４０の軸心Ｂとパラペット３ａの本体８ａの内側面との交点である。つまり、支点Ａは、パラペット３ａの本体８ａの内側面における点である。たとえば、軸心Ｂは、複数の足場用パイプ４６〜５０のそれぞれの軸心と一致する。ブラケット４２のクランプ８０および傾斜面７８は、支点Ａおよび軸心Ｂよりも鉛直下方側に位置している。
【００９９】
第１成分の大きさをＰ１ａとし、支点Ａから第１成分の作用線への垂線の長さをＢ１とし、第１成分による支点Ａ回りの力のモーメントの大きさをＴ１としたとき、Ｔ１＝−Ｐ１ａ×Ｂ１で表される。
【０１００】
第２成分の大きさをＰ１ｂとし、支点Ａから第２成分の作用線への垂線の長さをＢ２とし、第２成分による支点Ａ回りの力のモーメントの大きさをＴ２としたとき、Ｔ２＝−Ｐ１ｂ×Ｂ２で表される。
【０１０１】
第３成分の大きさをＰ２ａとし、支点Ａから第３成分の作用線への垂線の長さをＢ３とし、第３成分による支点Ａ回りの力のモーメントの大きさをＴ３としたとき、Ｔ３＝Ｐ２ａ×Ｂ３で表される。
【０１０２】
第４成分の大きさをＰ２ｂとし、支点Ａから第４成分の作用線への垂線の長さをＢ４とし、第４成分による支点Ａ回りの力のモーメントの大きさをＴ４としたとき、Ｔ４＝−Ｐ２ｂ×Ｂ４で表される。
【０１０３】
ここで、たとえば、Ｔ１＋Ｔ２＋Ｔ３＋Ｔ４＝０となるように、第１荷重および第２荷重を加えることによって、第１荷重および第２荷重によって発生する支点Ａ回りの力のモーメントを釣り合わせることができる。これによって、足場支柱４０およびブラケット４２が支点Ａ回りに回転することを抑制しつつ、第２成分および第４成分によって、足場支柱４０をパラペット３ａに向けて引っ張ることができる。つまり、足場支柱４０およびブラケット４２が支点Ａ回りに回転することを抑制しつつ、足場支柱４０をパラペット３ａに押し付けることができ、足場支柱４０およびパラペット３ａの間の摩擦力を大きくできる。
【０１０４】
また、ブラケット４３のクランプ８１を経由して張設されたロープ部材４５によって、足場支柱４０およびブラケット４３には、第３荷重（図３の破線矢印Ｐ３参照）および第４荷重（図３の破線矢印Ｐ４参照）が加わる。第３荷重の向きと第４荷重の向きとは異なっているが、第３荷重の大きさと第４荷重の大きさとは等しくなる場合がある。つまり、第３荷重の大きさをＰ３とし、第４荷重の大きさをＰ４としたとき、Ｐ３＝Ｐ４となる場合がある。
【０１０５】
たとえば、鉛直方向に対するロープ部材４５の傾きを調整することによって、第３荷重の向きおよび第４荷重の向きを調整できる。また、ターンバックル８３によって、第３荷重の大きさおよび第４荷重の大きさを調整できる。
【０１０６】
第３荷重は、第１方向におけるパラペット３ｂ側に向かうにつれて鉛直下方側に向かう方向への荷重である。第３荷重は、鉛直下方側への第５成分（図３の破線矢印Ｐ３ａ参照）と、第１方向におけるパラペット３ｂ側への第６成分（図３の破線矢印Ｐ３ｂ参照）とに分けることができる。
【０１０７】
第４荷重は、第１方向におけるパラペット３ｂ側に向かうにつれて鉛直上方側に向かう方向への荷重である。第４荷重は、鉛直上方側への第７成分（図３の破線矢印Ｐ４ａ参照）と、第１方向におけるパラペット３ｂ側への第８成分（図３の破線矢印Ｐ４ｂ参照）とに分けることができる。ロープ部材４５の他端部（パラペット３ｂ側の端部）を、足場支柱４０よりも鉛直上方側において、より鉛直下方側に固定することによって、第７成分の大きさをより小さくできるとともに、第８成分の大きさをより大きくできる。これによって、足場支柱４０が鉛直上方に浮き上がることを抑制しつつ、足場支柱４０をパラペット３ｂ側により大きい力で引っ張ることができる。
【０１０８】
たとえば、足場支柱４０およびブラケット４３の回転の支点を支点Ｃとしたとき、足場支柱４０およびブラケット４３には、後述するような力のモーメントが加わる。この実施の形態では、支点Ｃは、足場支柱４０の軸心Ｂとパラペット３ｂの本体８ｂの内側面との交点である。つまり、支点Ｃは、パラペット３ｂの本体８ｂの内側面における点である。ブラケット４３のクランプ８１および傾斜面７９は、支点Ｃおよび軸心Ｂよりも鉛直下方側に位置している。
【０１０９】
第５成分の大きさをＰ３ａとし、支点Ｃから第５成分の作用線への垂線の長さをＢ５とし、第５成分による支点Ｃ回りの力のモーメントの大きさをＴ５としたとき、Ｔ５＝Ｐ３ａ×Ｂ５で表される。
【０１１０】
第６成分の大きさをＰ３ｂとし、支点Ｃから第６成分の作用線への垂線の長さをＢ６とし、第６成分による支点Ｃ回りの力のモーメントの大きさをＴ６としたとき、Ｔ６＝Ｐ３ｂ×Ｂ６で表される。
【０１１１】
第７成分の大きさをＰ４ａとし、支点Ｃから第７成分の作用線への垂線の長さをＢ７とし、第７成分による支点Ｃ回りの力のモーメントの大きさをＴ７としたとき、Ｔ７＝−Ｐ４ａ×Ｂ７で表される。
【０１１２】
第８成分の大きさをＰ４ｂとし、支点Ｃから第８成分の作用線への垂線の長さをＢ８とし、第８成分による支点Ｃ回りの力のモーメントの大きさをＴ８としたとき、Ｔ８＝Ｐ４ｂ×Ｂ８で表される。
【０１１３】
ここで、たとえば、Ｔ５＋Ｔ６＋Ｔ７＋Ｔ８＝０となるように、第３荷重および第４荷重を加えることによって、第３荷重および第４荷重によって発生する支点Ｃ回りの力のモーメントを釣り合わせることができる。これによって、足場支柱４０およびブラケット４３が支点Ｃ回りに回転することを抑制しつつ、第６成分および第８成分によって、足場支柱４０をパラペット３ｂに向けて引っ張ることができる。つまり、足場支柱４０およびブラケット４３が支点Ｃ回りに回転することを抑制しつつ、足場支柱４０をパラペット３ｂに押し付けることができ、足場支柱４０およびパラペット３ｂの間の摩擦力を大きくできる。
【０１１４】
上述したように、架台２０では、足場支柱４０をパラペット３ａに押し付けて足場支柱４０およびパラペット３ａの間の摩擦力を大きくできるとともに、足場支柱４０をパラペット３ｂに押し付けて足場支柱４０およびパラペット３ｂの間の摩擦力を大きくできる。したがって、足場支柱４０をより強固に一対のパラペット３ａ，３ｂの間に突っ張らせて固定できる。これによって、床面５に穴を開けることなく、架台２０をより強固に固定できる。このように、架台２０では、足場支柱４０が鉛直上方に浮き上がることを抑制しつつ、足場支柱４０をパラペット３ａおよびパラペット３ｂに向けて引っ張ることができる。
【０１１５】
また、足場支柱４０が風荷重で鉛直上方側に湾曲しようとする力に抗して足場支柱４０の曲がりを制して水平を保とうとする力を生じさせることができ、足場支柱４０が鉛直上方側に湾曲することを抑制できる。
【０１１６】
同様にして、第１支持部材２２ｂ〜２２ｄをパラペット３ａおよびパラペット３ｂに押し付けて固定できる。また、第２支持部材２４ａ〜２４ｃをパラペット３ｃおよびパラペット３ｄに押し付けて固定できる。これによって、架台２０をさらにより強固に固定できる。
【０１１７】
以上、架台２０の足場支柱４０、ブラケット４２、およびブラケット４３に加わる荷重について説明した。
【０１１８】
以上、説明したように、本実施の形態に係る架台２０は、相互に対向する一対のパラペット３ａ，３ｂと、一対のパラペット３ａ，３ｂのうちのパラペット３ａに取り付けられる丸環４ａと、一対のパラペット３ａ，３ｂのうちのパラペット３ｂに取り付けられる丸環４ｅとが設けられる屋上に設置される太陽光パネル屋上用足場架台であって、丸環４ａおよび丸環４ｅよりも鉛直下方側において一対のパラペット３ａ，３ｂを突っ張る足場支柱４０と、足場支柱４０に固定される２つのクランプ７４，７６、および足場支柱４０よりも鉛直下方側に位置する１つのクランプ８０を有し、足場支柱４０よりも鉛直下方側に突出するブラケット４２と、その一端部が、丸環４ａに固定され、その他端部が、クランプ８０よりもパラペット３ｂ側かつクランプ８０よりも鉛直上方側において、ブラケット４２に固定され、クランプ８０を経由した状態で張設されるロープ部材４４と、足場支柱４０に固定される２つのクランプ７５，７７、および足場支柱４０よりも鉛直下方側に位置する１つのクランプ８１を有し、足場支柱４０よりも鉛直下方側に突出するブラケット４３と、その一端部が、クランプ８１よりもパラペット３ａ側かつクランプ８１よりも鉛直上方側において、ブラケット４３に固定され、その他端部が、丸環４ｅに固定され、クランプ８１を経由した状態で張設されるロープ部材４５とを備える。
【０１１９】
この構成によれば、ロープ部材４４は、その一端部がパラペット３ａに取り付けられている丸環４ａに固定され、その他端部がクランプ８０よりもパラペット３ｂ側かつクランプ８０よりも鉛直上方側においてブラケット４２に固定され、クランプ８０を経由した状態で張設される。つまり、ロープ部材４４は、ブラケット４２に固定された後にパラペット３ａ側に向かうにつれて鉛直下方側に位置するように延びてクランプ８０に接触する部分と、クランプ８０からパラペット３ａ側に向かうにつれて鉛直上方側に位置するように延びた後に丸環４ａに固定される部分とを有する。したがって、ロープ部材４４を張設することによって、パラペット３ａ側に近づくにつれて鉛直下方側に向かう方向への第１荷重と、パラペット３ａ側に近づくにつれて鉛直上方側に向かう方向への第２荷重とを発生させることができる。第１荷重の大きさと第２荷重の大きさとは等しくなる場合がある。第１荷重は、鉛直下方側への第１成分と、第１方向におけるパラペット３ａ側への第２成分とに分けることができる。また、第２荷重は、鉛直上方側への第３成分と、第１方向におけるパラペット３ａ側への第４成分とに分けることができる。たとえば、第１成分、第２成分、第３成分、および第４成分によって足場支柱４０およびブラケット４２に加わる力のモーメントが釣り合うように、第１荷重および第２荷重を加えることによって、第１荷重および第２荷重によって足場支柱４０およびブラケット４２が回転することを抑制しつつ、第２成分および第４成分によって足場支柱４０をパラペット３ａに押し付けることができる。また、ロープ部材４５は、その一端部がクランプ８１よりもパラペット３ａ側かつクランプ８１よりも鉛直上方側においてブラケット４３に固定され、その他端部がパラペット３ｂに取り付けられている丸環４ｅに固定され、クランプ８１を経由した状態で張設される。つまり、ロープ部材４５は、ブラケット４３に固定された後にパラペット３ｂ側に向かうにつれて鉛直下方側に位置するように延びてクランプ８１に接触する部分と、クランプ８１からパラペット３ｂ側に向かうにつれて鉛直上方側に位置するように延びた後に丸環４ｅに固定される部分とを有する。したがって、ロープ部材４５を張設することによって、パラペット３ｂ側に近づくにつれて鉛直下方側に向かう方向への第３荷重と、パラペット３ｂ側に近づくにつれて鉛直上方側に向かう方向への第４荷重とを発生させることができる。第３荷重の大きさと第４荷重の大きさとは等しくなる場合がある。第３荷重は、鉛直下方側への第５成分と、第１方向におけるパラペット３ｂ側への第６成分とに分けることができる。また、第４荷重は、鉛直上方側への第７成分と、第１方向におけるパラペット３ｂ側への第８成分とに分けることができる。たとえば、第５成分、第６成分、第７成分、および第８成分によって足場支柱４０およびブラケット４３に加わる力のモーメントが釣り合うように、第３荷重および第４荷重を加えることによって、第３荷重および第４荷重によって足場支柱４０およびブラケット４３が回転することを抑制しつつ、第６成分および第８成分によって足場支柱４０をパラペット３ｂに押し付けることができる。これによって、足場支柱４０が一対のパラペット３ａ，３ｂを突っ張る力を大きくできるので、屋上の床面５に穴を開けることなく、架台２０をより強固に固定することができる。また、足場支柱４０は、ロープ部材４４を介して丸環４ａに固定され、ロープ部材４５を介して丸環４ｅに固定されているので、たとえば、万が一、足場支柱４０が一対のパラペット３ａ，３ｂから外れてしまった場合でも、足場支柱４０および太陽光パネル２等が地上に落下することを抑制できる。
【０１２０】
図４は、他の実施の形態に係る太陽光パネル屋上用足場架台２０ａの足場支柱４０およびブラケット４２に加わる荷重を示す図である。図４を参照して、他の実施の形態に係る太陽光パネル屋上用足場架台２０ａの足場支柱４０およびブラケット４２に加わる荷重について説明する。
【０１２１】
たとえば、第１荷重の大きさと第２荷重の大きさとが相互に等しい場合、図４に示すように、第１荷重（図４の矢印Ｐ１参照）の方向が鉛直方向となす角度（図４のθ１参照）と、第２荷重（図４の矢印Ｐ２参照）の方向が鉛直方向となす角度（図４のθ２参照）とが等しくなるように、ロープ部材４４ａを張設することによって、第１成分（図４の矢印Ｐ１ａ参照）の大きさと第３成分（図４の矢印Ｐ２ａ参照）の大きさとを等しくできる。つまり、第３成分を第１成分によって打ち消すことができる。これによって、第１荷重および第２荷重によって足場支柱４０およびブラケット４２が鉛直方向に移動することを抑制しつつ、第２成分（図４の矢印Ｐ１ｂ参照）および第４成分（図４の矢印Ｐ２ｂ参照）によって、足場支柱４０をパラペット３ａに向けて引っ張ることができる。つまり、足場支柱４０およびブラケット４２が鉛直方向に移動することを抑制しつつ、足場支柱４０をパラペット３ａに押し付けることができ、足場支柱４０およびパラペット３ａの間の摩擦力を大きくできる。また、図示は省略しているが、ブラケット４３等を用いて、同様に、足場支柱４０をパラペット３ｂに向けて引っ張ることができる。つまり、足場支柱４０およびブラケット４３が鉛直方向に移動することを抑制しつつ、足場支柱４０をパラペット３ｂに押し付けることができ、足場支柱４０およびパラペット３ｂの間の摩擦力を大きくできる。したがって、足場支柱４０をより強固に一対のパラペット３ａ，３ｂの間に突っ張らせて固定できる。これによって、床面５に穴を開けることなく、架台２０をより強固に固定できる。
【０１２２】
図５は、足場支柱４０およびブラケット４２に加わる荷重の一例を示す図である。図５では、上述した実施の形態のブラケット４２を、第１方向において反転させて足場支柱４０に固定した場合を示している。図５では、ロープ部材４４は、その他端部がクランプ８０の鉛直上方において足場支柱４０に固定されている。ロープ部材４４は、その他端部が足場支柱４０に固定された後、鉛直方向に沿って下方に延びてクランプ８０を経由している。つまり、図５では、ロープ部材４４は、足場支柱４０に固定された後にパラペット３ａ側に向かうにつれて鉛直下方側に位置するように延びる部分を有していない。このようなロープ部材４４を張設した場合、足場支柱４０およびブラケット４２には、鉛直下方側に向かう第１荷重（図５の矢印Ｐ１参照）と、第１方向におけるパラペット３ａ側に向かうにつれて鉛直上方側に向かう方向への第２荷重（図５の矢印Ｐ２参照）とが加わる。つまり、図５に示す第１荷重の方向は、上述した実施の形態における第１荷重の方向とは異なっており、図５に示す第１荷重からは第１方向におけるパラペット３ａ側への成分が発生しない。したがって、上述した実施の形態に比べて、足場支柱４０をパラペット３ａ側に引っ張る力が小さくなるとともに、足場支柱４０を鉛直下方側に引っ張る力が大きくなるので、図５に示すようにロープ部材４４を張設することは好ましくない。なお、図５に示すようにブラケット４２を足場支柱４０に固定した場合であっても、ロープ部材４４の他端部を、クランプ８０よりもパラペット３ｂ側かつクランプ８０よりも鉛直上方側で固定できれば（たとえば図５の二点鎖線参照）、上述した実施の形態と同様の効果を生じ得る。図示は省略しているが、ロープ部材４５についても同様である。
【０１２３】
以上、本発明に係る太陽光パネル屋上用足場架台について、実施の形態に基づいて説明したが、本発明は、実施の形態に限定されるものではない。本発明の主旨を逸脱しない限り、当業者が思いつく各種変形を実施形態に施したものや、実施形態における一部の構成要素を組み合わせて構築される別の形態も、本発明の範囲内に含まれる。
【０１２４】
上述した実施の形態では、架台２０が、複数の第２支持部材２４ａ〜２４ｃを備えている場合について説明したが、これに限定されない。たとえば、太陽光パネル屋上用足場架台は、複数の第２支持部材２４ａ〜２４ｃを備えていなくてもよい。
【０１２５】
上述した実施の形態では、ブラケット４２が、第１方向において、一対のパラペット３ａ，３ｂの間の中央よりもパラペット３ｂ側に設けられている場合について説明したが、これに限定されない。たとえば、ブラケット４２は、第１方向において、一対のパラペット３ａ，３ｂの間の中央よりもパラペット３ａ側に設けられていてもよい。
【０１２６】
上述した実施の形態では、ブラケット４３が、第１方向において、一対のパラペット３ａ，３ｂの間の中央よりもパラペット３ａ側に設けられている場合について説明したが、これに限定されない。たとえば、ブラケット４３は、第１方向において、一対のパラペット３ａ，３ｂの間の中央よりもパラペット３ｂ側に設けられていてもよい。
【０１２７】
上述した実施の形態では、第１支持部材２２ａが、足場支柱４０をパラペット３ａ側に引っ張るために、１つのブラケット４２および１つのロープ部材４４を有している場合について説明したが、これに限定されない。たとえば、第１支持部材は、足場支柱４０をパラペット３ａ側に引っ張るために、２つ以上のブラケットおよび２つ以上のロープ部材を有していてもよい。たとえば、２つ以上のブラケットが第１方向に並んで足場支柱に固定され、丸環４ａと各ブラケットとを繋ぐように各ロープ部材が張設されることで、２つ以上のブラケットおよび２つ以上のロープ部材を用いて、足場支柱４０をパラペット３ａ側に引っ張ることができる。
【０１２８】
上述した実施の形態では、第１支持部材２２ａが、足場支柱４０をパラペット３ｂ側に引っ張るために、１つのブラケット４３および１つのロープ部材４５を有している場合について説明したが、これに限定されない。たとえば、第１支持部材は、足場支柱４０をパラペット３ｂ側に引っ張るために、２つ以上のブラケットおよび２つ以上のロープ部材を有していてもよい。たとえば、２つ以上のブラケットが第１方向に並んで足場支柱に固定され、丸環４ｅと各ブラケットとを繋ぐように各ロープ部材が張設されることで、２つ以上のブラケットおよび２つ以上のロープ部材を用いて、足場支柱４０をパラペット３ｂ側に引っ張ることができる。
【０１２９】
上述した実施の形態では、ブラケット４３が、ブラケット４２よりもパラペット３ａ側に設けられている場合について説明したが、これに限定されない。たとえば、ブラケット４３は、ブラケット４２よりもパラペット３ａ側に設けられていなくてもよく、ブラケット４２よりもパラペット３ｂ側に設けられていてもよい。具体的には、たとえば、一対のパラペット３ａ，３ｂの間の中央よりもパラペット３ａ側においてブラケット４２を足場支柱に固定し、一対のパラペット３ａ，３ｂの間の中央よりもパラペット３ｂ側においてブラケット４３を足場支柱に固定し、ブラケット４２およびロープ部材４４で足場支柱をパラペット３ａ側に引っ張り、ブラケット４３およびロープ部材４５で足場支柱４０をパラペット３ｂ側に引っ張ってもよい。足場支柱における、一対のパラペット３ａ，３ｂの間の中央よりもパラペット３ａ側の部分とパラペット３ｂ側の部分とを、独立して第１方向に移動できるように連結しておくことで、足場支柱をパラペット３ａに容易に押し付けることができるとともに、足場支柱をパラペット３ｂにも容易に押し付けることができる。これによって、太陽光パネル屋上用足場架台をより強固に固定できる。
【０１３０】
上述した実施の形態では、足場支柱４０が、複数の足場用パイプ４６〜５０を有している場合について説明したが、これに限定されない。たとえば、足場支柱は、複数ではなく１つの足場用パイプを有していてもよい。たとえば、一対のパラペットの間の間隔、および足場用パイプの長さ等を考慮し、足場用パイプの個数を適宜決定すればよい。また、足場支柱は、足場用パイプに代えて足場用ではないパイプ等の棒状部材を用いて構成されていてもよい。
【０１３１】
上述した実施の形態では、ブラケット４２が、傾斜面７８を有している場合について説明したが、これに限定されない。たとえば、ブラケットは、傾斜面を有しておらず、足場支柱から鉛直下方に突出する棒状等であってもよい。また、たとえば、ブラケット４２は、クランプ８０から第１方向におけるパラペット３ａ側に向かうにつれて鉛直上方側に位置するように延びる傾斜面をさらに有していてもよい。ブラケット４３についても同様である。
【０１３２】
上述した実施の形態では、ロープ部材４４の他端部が、ブラケット４２に固定されている場合について説明したが、これに限定されない。たとえば、ロープ部材４４の他端部は、足場支柱４０に固定されていてもよい。具体的には、たとえば、環状部９６が足場パイプ５０に引っ掛けられた状態でロープ部材４４が張設されることによって、ロープ部材４４の他端部が、足場支柱４０に固定されてもよい。ロープ部材４５についても同様である。
【０１３３】
上述した実施の形態では、ロープ部材４４が、ブラケット４２のクランプ８０を経由した状態で張設されている場合について説明したが、これに限定されない。たとえば、ブラケットは、足場支柱よりも鉛直下方側に位置するフック部等を有しており、ロープ部材は、当該フック部等を経由した状態で張設されていてもよい。ロープ部材４５についても同様である。
【０１３４】
上述した実施の形態では、複数の第３支持部材２６ａ〜２６ｌのそれぞれが、ジャッキベース１１２を有している場合について説明したが、これに限定されない。たとえば、複数の第３支持部材のそれぞれは、ジャッキベース１１２に代えて固定ベースを有していてもよい。
【０１３５】
上述した実施の形態では、架台２０が、太陽光パネル２を水平方向と平行な状態で支持している場合について説明したが、これに限定されない。たとえば、太陽光パネル屋上用足場架台は、太陽光パネル２を、水平方向に対して傾けた状態で支持してもよい。具体的には、たとえば、太陽光パネル屋上用足場架台は、太陽光パネル２を、水平方向に対して約３０度傾けた状態で支持してもよい。太陽光パネル２を水平方向に対して傾けた状態で支持する場合、太陽光パネル２の上面が太陽の方を向くように、太陽光パネル２を支持してもよい。具体的には、たとえば、水平方向のうち第１方向および第２方向に対して斜めの第３方向に、足場用パイプを延設し、自在クランプ等を用いて、当該足場用パイプを複数の第１支持部材２２ａ〜２２ｄおよび／または複数の第２支持部材２４ａ〜２４ｄ等に固定する。このような足場用パイプを、第３方向に直交する第４方向に並べて複数配置する。当該複数の足場用パイプを設置する高さを相互に異ならせておくことで、当該複数の足場用パイプの上に太陽光パネル２を配置したときに、太陽光パネル２を傾けることができる。また、太陽の位置に応じて第３方向を規定することによって、太陽光パネル２の上面が太陽の方を向くように、太陽光パネル２を支持できる。
【産業上の利用可能性】
【０１３６】
本発明は、太陽光パネル等を支持する架台として、利用することができる。
【符号の説明】
【０１３７】
２０，２０ａ      太陽光パネル屋上用足場架台
２２ａ，２２ｂ，２２ｃ，２２ｄ      第１支持部材
２４ａ，２４ｂ，２４ｃ      第２支持部材
２６ａ，２６ｂ，２６ｃ，２６ｄ，２６ｅ，２６ｆ，２６ｇ，２６ｈ，２６ｉ，２６ｊ，２６ｋ，２６ｌ      第３支持部材
２８      第４支持部材
３０ａ，３０ｂ，３０ｃ，３０ｄ，３０ｅ，３０ｆ，３０ｇ，３０ｈ，３０ｉ，３０ｊ，３０ｋ，３０ｌ，３２ａ，３２ｂ，３２ｃ，３２ｄ，３２ｅ，３２ｆ，３２ｇ，３２ｈ，３２ｉ，３２ｊ，３２ｋ，３２ｌ，７４，７５，７６，７７，８０，８１      クランプ
３４      第１継手
３６      第２継手
３８      取付金具
４０      足場支柱
４２，４３      ブラケット
４４，４５      ロープ部材
４６，４８，５０，９８，１００，１０２，１０４，１１０      足場用パイプ
５２，５４，１０８      ジョイント
５６，５８，１１２      ジャッキベース
６０，６６，１１４      基板
６２，６８，１１６      ネジ部
６４，７０，１１８      ハンドル
７２，７３，８６，８７      本体
７８，７９      傾斜面
８２，８３      ターンバックル
８４，８５，１０６，１０７      ワイヤロープ
８８，８９，９０，９１，１２０，１２１      フック部
９４，９５，９６，９７      環状部
【要約】
【課題】屋上の床面に穴を開けることなく、より強固に固定できる太陽光パネル屋上用足場架台を提供する。
【解決手段】太陽光パネル屋上用足場架台２０は、一対のパラペット３ａ，３ｂを突っ張る足場支柱４０と、足場支柱４０よりも鉛直下方側に位置するクランプ８０を有するブラケット４２と、その一端部が、丸環４ａに固定され、その他端部が、クランプ８０よりもパラペット３ｂ側かつクランプ８０よりも鉛直上方側において、ブラケット４２に固定され、クランプ８０を経由した状態で張設されるロープ部材４４と、足場支柱４０よりも鉛直下方側に位置するクランプ８１を有するブラケット４３と、その一端部が、クランプ８１よりもパラペット３ａ側かつクランプ８１よりも鉛直上方側において、ブラケット４３に固定され、その他端部が、丸環４ｂに固定され、クランプ８１を経由した状態で張設されるロープ部材４５とを備える。
【選択図】図１【図１】
0006797455.tif 000002
【図２】
0006797455.tif 000003
【図３】
0006797455.tif 000004
【図４】
0006797455.tif 000005
【図５】
0006797455.tif 000006